(57)【要約】【課題】電話システムにおいて、構内に敷設された電話の内線回線を利用して新たな配線を必要とせずにデータ通信用のネットワークを構築可能とする。【解決手段】ＰＢＸ２は、変調されアナログ変換された送信データ信号と送信音声信号との重畳信号を内線回線１３、１４、１５を介して電話機３、４、５に送信する。また、ＰＢＸ２は、受信データ信号と受信音声信号との重畳信号を電話機３、４、５から内線回線１３、１４、１５を介して受信し、受信データ信号と受信音声信号とをそれぞれ抽出し、受信データ信号をデジタル変換し復調する。電話機３、４、５もＰＢＸ２と同様の機能を有し、ＰＢＸ２と内線回線１３、１４、１５を介して通信を行う。【選択図】図１
2008259053.tif 000002
【特許請求の範囲】
【請求項１】
構内に設けられ、通話を行うための公衆電話網およびデータ通信を行うためのデータ通信ネットワークに接続されると共に、前記構内に敷設された内線回線を介して電話機に接続された構内交換機において、
デジタル送信データ信号を変調する変調手段と、
前記変調手段によって変調されたデジタル変調送信データ信号をアナログに変換するアナログ変換手段と、
前記アナログ変換手段によって変換されたアナログ送信データ信号と送信音声信号との重畳信号を前記内線回線を介して前記電話機に送信する送信手段と、
前記電話機から前記内線回線を介して受信した、アナログ受信データ信号と受信音声信号との重畳信号から前記アナログ受信データ信号を抽出するデータ信号抽出手段と、
前記データ信号抽出手段によって抽出された前記アナログ受信データ信号をデジタルに変換するデジタル変換手段と、
前記デジタル変換手段によって変換されたデジタル受信データ信号を復調する復調手段と、
前記電話機から前記内線回線を介して受信した前記重畳信号から前記受信音声信号を抽出する音声信号抽出手段と、
を備えたことを特徴とする構内交換機。
【請求項２】
構内に設けられ、前記構内に敷設された内線回線を介して構内交換機に接続された電話機において、
送信音声信号を入力する入力手段と、
デジタル送信データ信号を変調する変調手段と、
前記変調手段によって変調されたデジタル変調送信データ信号をアナログに変換するアナログ変換手段と、
前記アナログ変換手段によって変換されたアナログ送信データ信号と前記入力手段によって入力された前記送信音声信号との重畳信号を前記内線回線を介して前記構内交換機に送信する送信手段と、
前記構内交換機から前記内線回線を介して受信した、アナログ受信データ信号と受信音声信号との重畳信号から前記アナログ受信データ信号を抽出するデータ信号抽出手段と、
前記データ信号抽出手段によって抽出された前記アナログ受信データ信号をデジタルに変換するデジタル変換手段と、
前記デジタル変換手段によって変換されたデジタル受信データ信号を復調する復調手段と、
前記構内交換機から前記内線回線を介して受信した前記重畳信号から前記受信音声信号を抽出する音声信号抽出手段と、
を備えたことを特徴とする電話機。
【請求項３】
請求項１に記載の構内交換機と請求項２に記載の電話機とを備えたことを特徴とする電話システム
【発明の詳細な説明】
【技術分野】
【０００１】
本発明は、構内交換機、電話機、及びこれらを備えた電話システムに関する。
【背景技術】
【０００２】
従来、電話システムが設置された家庭、オフィス、工場などにおいて、複数のデータ通信機器を有するデータ通信システムを導入しようとする場合、電話システムにおいて複数の電話機を接続するための内線回線（構内の電話線）とは異なる回線によりネットワークが構築されるのが一般的である。例えば、外線に接続されるとともに内線に接続されるゲートウェイ装置と、ゲートウェイ装置に接続されるＰＢＸ(Private Branch eXchange)と、そのＰＢＸに接続される複数の内線電話機と、ゲートウェイ装置に接続される複数のＰＣ(Personal Computer)とからなるシステムにおいて、各内線電話機が内線回線を介してＰＢＸに接続される一方、各ＰＣがＬＡＮケーブルを介してゲートウェイ装置に接続されるものが知られている（特許文献１参照）。
【特許文献１】特開２００６−１６６３８５号公報
【発明の開示】
【発明が解決しようとする課題】
【０００３】
しかしながら、上記特許文献１に記載のような従来技術では、ＰＣをネットワークに接続しようとする場合、電話システム用の内線回線が敷設済みであるとしても、別途データ通信用のＬＡＮケーブルを配線することが必要となり、配線スペースが不足したり配線コストが増大したりする等の課題があった。この場合、ＬＡＮケーブルの代わりに敷設済みの電力線を用いてネットワークを構築する方法も考えられるが、電力線は本来データ通信を目的としたものでないため、接続される他の電気機器によりノイズの発生やインピーダンスの変動を生じやすく、ＬＡＮケーブル等の他の通信回線を用いる場合に比べて伝送特性が劣るという課題があった。
【０００４】
本発明は、このような従来技術の課題を鑑みて案出されたものであり、構内に敷設された電話の内線回線を利用したデータ通信を実現し、新たな配線を必要とせずにデータ通信用のネットワークの構築を可能とする構内交換機、電話機、及びこれらを備えた電話システムを提供することを主目的とする。
【課題を解決するための手段】
【０００５】
本発明の構内交換機は、構内に設けられ、通話を行うための公衆電話網およびデータ通信を行うためのデータ通信ネットワークに接続されると共に、前記構内に敷設された内線回線を介して電話機に接続された構内交換機において、デジタル送信データ信号を変調する変調手段と、前記変調手段によって変調されたデジタル変調送信データ信号をアナログに変換するアナログ変換手段と、前記アナログ変換手段によって変換されたアナログ送信データ信号と送信音声信号との重畳信号を前記内線回線を介して前記電話機に送信する送信手段と、前記電話機から前記内線回線を介して受信した、アナログ受信データ信号と受信音声信号との重畳信号から前記アナログ受信データ信号を抽出するデータ信号抽出手段と、前記データ信号抽出手段によって抽出された前記アナログ受信データ信号をデジタルに変換するデジタル変換手段と、前記デジタル変換手段によって変換されたデジタル受信データ信号を復調する復調手段と、前記電話機から前記内線回線を介して受信した前記重畳信号から前記受信音声信号を抽出する音声信号抽出手段と、を備えたことを特徴とする。
【発明の効果】
【０００６】
このように本発明によれば、変調されアナログ変換された送信データ信号と送信音声信号との重畳信号を内線回線を介して電話機に送信すると共に、受信データ信号と受信音声信号との重畳信号を電話機から内線回線を介して受信し、受信データ信号と受信音声信号とをそれぞれ抽出し、受信データ信号をデジタル変換し復調する。そのため、構内に敷設された電話の内線回線を利用したデータ通信を実現し、新たな配線を必要とせずにデータ通信用のネットワークを構築することができるという優れた効果を奏する。
【発明を実施するための最良の形態】
【０００７】
上記課題を解決するためになされた第１の発明は、構内に設けられ、通話を行うための公衆電話網およびデータ通信を行うためのデータ通信ネットワークに接続されると共に、前記構内に敷設された内線回線を介して電話機に接続された構内交換機において、デジタル送信データ信号を変調する変調手段と、前記変調手段によって変調されたデジタル変調送信データ信号をアナログに変換するアナログ変換手段と、前記アナログ変換手段によって変換されたアナログ送信データ信号と送信音声信号との重畳信号を前記内線回線を介して前記電話機に送信する送信手段と、前記電話機から前記内線回線を介して受信した、アナログ受信データ信号と受信音声信号との重畳信号から前記アナログ受信データ信号を抽出するデータ信号抽出手段と、前記データ信号抽出手段によって抽出された前記アナログ受信データ信号をデジタルに変換するデジタル変換手段と、前記デジタル変換手段によって変換されたデジタル受信データ信号を復調する復調手段と、前記電話機から前記内線回線を介して受信した前記重畳信号から前記受信音声信号を抽出する音声信号抽出手段と、を備えた構成とする。
【０００８】
これにより、構内に敷設された電話の内線回線を利用したデータ通信を実現し、新たな配線を必要とせずにデータ通信用のネットワークの構築が可能となる。
【０００９】
上記課題を解決するためになされた第２の発明は、構内に設けられ、前記構内に敷設された内線回線を介して構内交換機に接続された電話機において、送信音声信号を入力する入力手段と、デジタル送信データ信号を変調する変調手段と、前記変調手段によって変調されたデジタル変調送信データ信号をアナログに変換するアナログ変換手段と、前記アナログ変換手段によって変換されたアナログ送信データ信号と前記入力手段によって入力された前記送信音声信号との重畳信号を前記内線回線を介して前記構内交換機に送信する送信手段と、前記構内交換機から前記内線回線を介して受信した、アナログ受信データ信号と受信音声信号との重畳信号から前記アナログ受信データ信号を抽出するデータ信号抽出手段と、前記データ信号抽出手段によって抽出された前記アナログ受信データ信号をデジタルに変換するデジタル変換手段と、前記デジタル変換手段によって変換されたデジタル受信データ信号を復調する復調手段と、前記構内交換機から前記内線回線を介して受信した前記重畳信号から前記受信音声信号を抽出する音声信号抽出手段と、を備えた構成とする。
【００１０】
これにより、構内に敷設された電話の内線回線を利用したデータ通信を実現し、新たな配線を必要とせずにデータ通信用のネットワークの構築が可能となる。
【００１１】
上記課題を解決するためになされた第３の発明は、上記第１の発明に係る構内交換機および上記第２の発明に係る電話機を備えた電話システムである。
【００１２】
以下、本発明の実施の形態について図面を参照しながら説明する。
【００１３】
図１は、本発明に係る電話システムの概略を示す構成図である。この電話システム１は、ＰＢＸ２と、ＰＢＸ２にそれぞれ接続される複数の電話機３〜６とを主として備える。ここでは、ＰＢＸ２及び電話機３〜６を家屋の５つの部屋にそれぞれ配置した構成を模式的に示している。
【００１４】
ＰＢＸ２は、デジタル方式の構内交換機であり、ここでは、主として音声による通話を行うためのＰＳＴＮ（公衆電話網）１１及び主としてデータ通信を行うためのインターネット（データ通信ネットワーク）１２に接続されている。ＰＢＸ２と各電話機３〜５との接続は家屋内に敷設された電話線である内線回線（以下、単に「内線」という。）１３〜１５を介して実現され、また、ＰＢＸ２と電話機６との接続は家屋内に敷設された電力線１６を介して実現される。
【００１５】
なお、本発明に係る構内交換機には、ＰＢＸに限らず同様の機能を備えたいわゆるビジネスホンやホームテレホン等の簡易交換機も含まれるものとする。
【００１６】
電話機３〜５は、転送機能や内線通話機能等を備えたデジタル方式の多機能電話機である。電話機３〜５は、ＰＢＸ２を介して各電話機３〜５同士またはＰＳＴＮ１１に接続される外部の電話機（図示せず）との間で通話を実行するとともに、ＬＡＮケーブル２１〜２３を介してそれぞれ接続されたＰＣ２４〜２６とＰＢＸ２との間のデータ通信を中継することが可能である。
【００１７】
各電話機３〜５が通話を実行する際には、その通話音声に関する情報信号（以下、「通話音声信号」という。）が内線１３〜１５を介してＰＢＸ２との間で送受信される。また、各電話機３〜５がデータ通信の中継を実行する際には、そのデータ通信に関する情報信号（以下、「データ信号」という。）を、内線１３〜１５を流れる通話音声信号に重畳した信号（以下、「重畳信号」という。）がＰＢＸ２との間で送受信される。これにより、電話機３〜５が通話を行うための内線１３〜１５を利用してＰＣ２４〜２６によるデータ通信を行うことが可能となるので、ＰＣ２４〜２６のデータ通信用のネットワークを構築するための新たな配線は不要となる。
【００１８】
電話機６は、電話機３〜５と同様の転送機能や内線通話機能等を備え、ＶｏＩＰ(Voice over Internet Protocol)に基づき音声データを送受信するＩＰ(Internet Protocol)多機能電話機である。電話機６及びＰＢＸ２間の通信は、ＬＡＮケーブル２７により接続されたＰＬＣ(Power Line Communications)アダプタ２８及びそれと同様の機能を有するＰＢＸ２に内蔵のＰＬＣ制御回路３７（図２参照）が、電力線１６を流れる電力の信号（例えば、６０Ｈｚ）に比較的高周波の情報信号（例えば、４ＭＨｚ〜２８ＭＨｚ）を重畳して相互に通信を行うことにより実行される。
【００１９】
ＰＣ２４〜２６は、ネットワーク通信機能を備えており、ＴＣＰ／ＩＰ等のプロトコルに従ってＬＡＮケーブル２１〜２３を介して他の装置との間でデータ通信を実行する。ここでは、ＰＣ２４〜２６は、データ通信を各電話機３〜５にそれぞれ中継させることで、ＰＢＸ２を介して構内の他のＰＣやインターネット１２に接続される外部のＰＣ等（図示せず）との間でデータ通信を実行することができる。
【００２０】
なお、電話機３〜５を介してデータ通信を行う機器は、ＰＣに限らず同様の通信機能を備えた他の情報処理装置でもよい。或いは、電話機３〜５自体が、ＰＣ２４〜２６と同様のデータ通信機能を備えた構成も可能である。また、ＰＬＣアダプタ２８には、電話機６だけでなく、データ通信を行うＰＣ等を接続することが可能である。これにより、構内のＰＣは、電力線ネットワーク及び電話の内線回線を利用してデータ通信を実現することが可能となり、ネットワークを構築する際の自由度が高まる。
【００２１】
図２は、図１に示したＰＢＸの構成を示すブロック図である。ＰＢＸ２は、ＩＰ通信回線に接続され、インターネット１２上の外部のＰＣ等とのデータ通信を実行するインターネット接続ユニット３１と、ＩＳＤＮ(Integrated Services Digital Network)回線に接続され、電話局３０を介して外部の電話機（図示せず）との通話または外部のＰＣ等とのデータ通信を実行するＩＳＤＮ外線接続ユニット３２と、アナログ回線に接続され、電話局３０を介して外部の電話機との通話を実行するアナログ外線接続ユニット３３と、内線に接続され、電話機３〜５との通話またはデータ通信を実行する電話線接続ユニット３４と、電源回路３５及びＡＣコネクタ３６を介して電力線に接続され、電力線を介した通信を実行するＰＬＣ制御回路３７と、ＰＢＸ２の各部の動作を統括的に制御し、構内の装置（電話機３〜６及びＰＣ２４〜２６等）同士または構内の装置と構外の装置（外部の電話機及びＰＣ等）との間の通話及びデータ通信の回線交換処理を実行する主制御部３８とを有する。
【００２２】
主制御部３８は、バス４０を介して各接続ユニット３１〜３４及びＰＬＣ制御回路３７に接続され、所定の制御プログラムに従ってＰＢＸ２が実行する通話及びデータ通信に関する回線交換処理の制御を実行するＣＰＵ４１と、ＣＰＵ４１の制御のためのワークエリアを提供するメモリ４２と、デジタル音声及びアナログ音声の相互の変換並びに符号化及び復号化等を行うＣＯＤＥＣ４３と、通話の際の発信音（ＤＴ）及び話中音（ＢＴ）の検出等を行うＤＴ／ＢＴ検出回路４４と、ＰＢ（プッシュボタン）信号の検出等を行うＭＦＲ４５と、交換制御を行うタイムスイッチ（ＴＳＷ）４６とを備える。
【００２３】
図３は、図２に示した電話線接続ユニットの構成を示すブロック図である。各ブロック間には伝送される信号（通話音声信号、データ信号、及びそれらの重畳信号）及びそれらの波形イメージをそれぞれ示してある（図４〜図６についても同様）。電話線接続ユニット３４は、電話機からの内線１３〜１５がそれぞれ接続される電話線コネクタ５１〜５３と、主制御部からのバス４０が接続されるバスコネクタ５５と、バスコネクタ５５と電話線コネクタ５１〜５３間の回線をそれぞれ接続し、電話機との間の内線１３〜１５を介した通話及びデータ通信を制御する電話線通信制御回路５６〜５８と、バスコネクタ５５及び各電話線コネクタ５１〜５３間の回線における通話音声信号及びデータ信号の伝送を管理する信号伝送制御回路６０とを有する。
【００２４】
電話線コネクタ５１〜５３は、６極２芯または６極４芯のモジュラ式コネクタ（例えば、ＲＪ−１１）であり、モジュラーケーブルからなる内線１３〜１５の一端に取り付けられた対応コネクタが接続される。
【００２５】
このような電話線接続ユニット３４において、ＰＢＸ２から電話機に向けて送信されるデジタルの通話音声信号及びデータ信号（即ち、構外の装置または構内の電話機若しくはＰＣとの通話及びデータ通信に関わる信号）は、バスコネクタ５５からそれぞれ異なる回線を介して入力される。入力された信号は、信号伝送制御回路６０により、その通信相手となる電話機またはＰＣが接続される伝送路上の電話線通信制御回路５６〜５８にそれぞれ送られる。そこで、電話線通信制御回路５６〜５８は、デジタルのデータ信号をＤ／Ａ変換したアナログのデータ信号（例えば、３ｋＨｚ〜３０ＭＨｚの帯域の信号）を通話音声信号に重畳し、その重畳信号を内線１３〜１４に送出する。一方、電話機からはＰＢＸ２に向けて同様の重畳信号が送信され電話線コネクタ５１〜５３から入力される。その重畳信号は、電話線通信制御回路５６〜５８により、データ信号及び通話音声信号に分離され、バスコネクタ５５に向けてそれぞれ送出される。
【００２６】
図４は、図３に示した電話線通信制御回路の構成を示すブロック図である。電話線通信制御回路５６〜５８は、電話線コネクタ側とバスコネクタ側との間でデータ信号が流れる伝送経路６５、及び通話音声信号が流れる伝送経路６６を有し、伝送経路６５と伝送経路６６とは電話線コネクタ側で合流している。伝送経路６５には、デジタルのデータ信号の変調または復調等の信号処理を行うＩＣメイン７１、データ信号のＡ／Ｄ変換またはＤ／Ａ変換を行うＡＦＥ・ＩＣ７２、バスコネクタ側と電話線コネクタ側との間のデータ信号の双方向の伝送を可能とするためのカプラ７６等が設けられ、伝送経路６５の一部は送信側経路と受信側経路とに分岐している。ＩＣメイン７１は、メモリ７１ａ、ＣＰＵ（Central Processing Unit）７１ｂ、イーサネット（登録商標）ＰＨＹ・ＩＣ７１ｃ、ＭＡＣ層を管理するＰＬＣ・ＭＡＣ（Power Line Communication・Media Access Control layer）ブロック７１ｄ、及びＰＨＹ層を管理するＰＬＣ・ＰＨＹ（Power Line Communication・Physical layer）ブロック７１ｅで構成されている。ＡＦＥ・ＩＣ７２の送信側にはデジタル信号をアナログ変換するＤＡ変換器７２ａと増幅する可変増幅器７２ｃとが設けられ、ＡＦＥ・ＩＣ７２の受信側にはアナログ信号をデジタル変換するＡＤ変換器７２ｂと増幅する可変増幅器７２ｄとが設けられる。送信側経路には更にローパスフィルタ７３とドライバＩＣ７４とが設けられ、受信側経路には更にバンドパスフィルタ７５が設けられる。カプラ７６は、結合トランス又はフォトカプラなどにより構成され、電話線コネクタ側からの重畳信号に含まれる通話音声信号を遮断して比較的高周波のデータ信号を通過させるフィルタ特性を有する。一方、伝送経路６６には、重畳信号に含まれる比較的高周波のデータ信号を遮断して通話音声信号を通過させるローパスフィルタ７７が設けられる。
【００２７】
このような電話線通信制御回路５６〜５８において、バスコネクタ側から入力されるデジタルのデータ信号は、まずＩＣメイン７１で変調され、変調されたデジタル変調データはＡＦＥ・ＩＣ７２のＤＡ変換器７２ａでアナログ変換され、可変増幅器７２ｃで増幅される。アナログ変換され増幅されたアナログ信号は、更にローパスフィルタ７３、ドライバＩＣ７４、カプラ７６を通過する。一方、バスコネクタ側から入力される通話音声信号は、ローパスフィルタ７７を通過する。カプラ７６を通過したアナログデータ信号とローパスフィルタ７７を通過した通話音声信号は電話線コネクタ側で重畳され、重畳信号が電話線コネクタ側へ流れる。
【００２８】
逆に、電話線コネクタから入力された重畳信号は、伝送経路６５、伝送経路６６双方に流入する。伝送経路６５に流入した重畳信号は、まずカプラ７６にて通話音声信号が遮断されデータ信号のみが抽出される。抽出されたデータ信号はバンドパスフィルタ７５を通過し、可変増幅器７２ｄで増幅され、ＡＤ変換器７２ｂでデジタル変換される。デジタル変換されたデータ信号はＩＣメイン７１で復調され、バスコネクタ側へ流れる。一方、伝送経路６６に流入した重畳信号は、ローパスフィルタ７７にてデータ信号が遮断され通話音声信号のみが抽出され、抽出された通話音声信号がバスコネクタ側へ流れる。
【００２９】
図５は、図１に示した内線に接続される電話機の構成を示すブロック図である。電話機３〜５は、ＰＣからのＬＡＮケーブル２１〜２３が接続されるＬＡＮ側イーサネットＩ／Ｆ（インタフェース）８１と、ＰＢＸからの内線１３〜１５が接続される電話線コネクタ８２と、イーサネットＩ／Ｆ８１と電話線コネクタ８２との間の回線を接続し、ＰＢＸ２との間の内線１３〜１５を介した通話及びデータ通信を制御する電話線通信制御回路８３と、ＰＢＸからの制御信号の検出や通話音声信号のＡ／Ｄ変換及びＤ／Ａ変換等の処理を行う多機能電話回路８４と、図示しないハンドセットが接続されるハンドセットコネクタ８５とを有する。
【００３０】
イーサネットＩ／Ｆ８１は、８芯のモジュラ式コネクタ（例えば、ＲＪ−４５）であり、ＬＡＮケーブル２１〜２３一端に取り付けられた対応コネクタが接続される。
【００３１】
このような電話機３〜５において、イーサネットＩ／Ｆ８１から入力されるデジタルのデータ信号（即ち、ＰＣのデータ通信に関わる信号）は電話線通信制御回路８３に入力される。そこで、電話線通信制御回路８３は、デジタルのデータ信号をＤ／Ａ変換したアナログのデータ信号をハンドセット側からの通話音声信号に重畳し、その重畳信号を内線１３〜１５に送出する。一方、電話線コネクタ８２から入力される重畳信号は、電話線通信制御回路８３により、データ信号及び通話音声信号に分離され、ＬＡＮケーブル２１〜２３及びハンドセットコネクタ８５にそれぞれ送出される。
【００３２】
図６は、図５に示した電話線通信制御回路の構成を示すブロック図である。この電話線通信制御回路８３は、電話線コネクタ側とイーサネットＩ／Ｆ側との間でデータ信号が流れる伝送経路１６５と、電話線コネクタ８２側とハンドセットコネクタ側との間で通話音声信号が流れる伝送経路１６６とを有し、図４に示した電話線通信制御回路５６〜５８と概ね同様の機能を有する。図６において、図４に示した電話線通信制御回路５６〜５８と同様の構成要素については、同一の符号を付してその詳細な説明は省略する。
【００３３】
このような電話線通信制御回路８３において、イーサネットＩ／Ｆ側から入力されるデジタルのデータ信号は、まずＩＣメイン７１で変調され、変調されたデジタル変調データ信号はＡＦＥ・ＩＣ７２のＤＡ変換器７２ａでアナログ変換され、可変増幅器７２ｃで増幅される。アナログ変換され増幅されたアナログデータ信号は、更にローパスフィルタ７３、ドライバＩＣ７４、カプラ７６を通過する。一方、ハンドセットコネクタ側から入力される通話音声信号は、ローパスフィルタ７７を通過する。カプラ７６を通過したアナログデータ信号とローパスフィルタ７７を通過した通話音声信号は電話線コネクタ側で重畳され、重畳信号が電話線コネクタ側へ流れる。
【００３４】
逆に、電話線コネクタ側から入力された重畳信号は、伝送経路１６５、伝送経路１６６双方に流入する。伝送経路１６５に流入した重畳信号は、まずカプラ７６にて通話音声信号が遮断されデータ信号のみが抽出される。抽出されたデータ信号はバンドパスフィルタ７５を通過し、可変増幅器７２ｄで増幅され、ＡＤ変換器７２ｂでデジタル変換される。デジタル変換されたデータ信号はＩＣメイン７１で復調され、イーサネットＩ／Ｆ側へ流れる。一方、伝送経路１６６に流入した重畳信号は、ローパスフィルタ７７にてデータ信号が遮断され通話音声信号のみが抽出され、抽出された通話音声信号がハンドセットコネクタ側へ流れる。
【産業上の利用可能性】
【００３５】
本発明に係る構内交換機、電話機、及びこれらを備えた電話システムは、構内に敷設された電話の内線回線を利用したデータ通信を実現し、新たな配線を必要とせずにデータ通信用のネットワークの構築を可能とするので、構内交換機、電話機、及びこれらを備えた電話システムとして有用である。
【図面の簡単な説明】
【００３６】
【図１】本発明に係る電話システムの概略を示す構成図
【図２】ＰＢＸの構成を示すブロック図
【図３】電話線接続ユニットの構成を示すブロック図
【図４】図３の電話線通信制御回路の構成を示すブロック図
【図５】内線に接続される電話機の構成を示すブロック図
【図６】図５の電話線通信制御回路の構成を示すブロック図
【符号の説明】
【００３７】
１  電話システム
２  ＰＢＸ（構内交換機）
３〜５  電話機
１１  ＰＳＴＮ（公衆電話網）
１２  インターネット（データ通信ネットワーク）
１３〜１５  内線回線
３７  ＰＬＣ制御回路（電力線インタフェース部）
５１〜５３，８２  電話線コネクタ
７１  ＩＣメイン
７２  ＡＦＥ・ＩＣ
７６  カプラ
７７  ローパスフィルタ
８４  多機能電話回路
８５  ハンドセットコネクタ
【図１】
2008259053.tif 000003
【図２】
2008259053.tif 000004
【図３】
2008259053.tif 000005
【図４】
2008259053.tif 000006
【図５】
2008259053.tif 000007
【図６】
2008259053.tif 000008